(57)【要約】      （修正有）【課題】携帯装置を保護するための携帯装置外枠結合構造を提供する。【解決手段】外枠１と外板２から構成される携帯装置の保護ケースであって、上記外枠１に、携帯装置３が組立てられ、外枠の枠体の一側において、外へ突縁１２が伸び、突縁に、少なくとも一つの対応するホック突出部１３を形成する。さらに、上記ホック突出が、外板２を結合し、上記外板の板体２１に、内縁２２が形成され、内縁に、組立て溝２３が形成され、ホック突出部を、垂直方向に、組立て溝に入れてから、板体を水平に変位させることにより、ホック突出部が、更に、組立て溝内の係止溝に結合して固定される。【選択図】図１
0003179771.tif 000002
【実用新案登録請求の範囲】
【請求項１】
外枠と外板とからなる携帯装置外枠結合構造であって、
上記外枠が携帯装置を保護し、枠体により、携帯装置に組立てられ、
上記外板が、板体、内縁、組立て溝及び係止溝からなり、上記板体において、凹型内縁が形成され、上記内縁に、少なくとも一つの対応して凹型組立て溝が形成され、また、組立て溝の一側に向かって、係止溝が形成され、枠体のホック突出が、垂直に、上記組立て溝に収納されて、水平に上記係止溝に変位でき、
これにより、固定外枠と外板が結合され、
上記枠体の一側において、外方へ突縁が伸び、上記突縁の内側において、更に、少なくとも一つの対応するホック突出部が形成され、上記ホック突出部で、外板が結合される
ことを特徴とする携帯装置外枠結合構造。
【請求項２】
上記外枠の枠体の四隅に、それぞれ、凹型孔が形成され、前記各凹型孔内に、それぞれ、ばねと位置付けボールが設置され、上記外板の板体において、凹型孔に対応する位置に、位置付け孔が形成され、上記枠体と板体とが結合されることにより、上記位置付けボールが、位置付け孔に嵌入して位置付け機能が実現されることを特徴とする請求項１に記載の携帯装置外枠結合構造。
【考案の詳細な説明】
【技術分野】
【０００１】
本考案は、手持ち装置（以下、本願において「携帯装置」という。）外枠結合構造に関し、さらに詳しくは、携帯装置に結合されるケース構造に関する。
【背景技術】
【０００２】
従来のｉＰｈｏｎｅ４に適用して保護するものは、裏面保護板と、上記裏面保護板の左、右両側に接続される左側保護板及び右側保護板があり、上記裏面保護板の上端縁と下端縁において、それぞれ、一又は二以上の上部突出係止部と下部突出係止部が湾曲されて形成され、それにより、携帯電話に実装され、また、その裏面保護板と左、右保護板によって覆われ、携帯電話の裏面と両側から嵌合される。
【０００３】
上記の携帯電話保護カバーは、上記保護カバーが、携帯電話の正面と側面だけを覆うにすぎないので、有効に携帯電話の裏側を保護できず、電池が、容易に摩損されるなど、その保護効果が限られている。
【０００４】
携帯電話機の保護カバーについては多種の提案がある。例えば、特開平１０−１５５５３３（特許文献１）には、携帯電話の上体部に嵌着される第１のカバー部材と、下体部に嵌着される第２のカバー部材と、アンテナの先端部を覆う第３のカバー部材とで構成される携帯電話の保護カバーが記載されている。
【０００５】
また、特開２００８−３２９８７（特許文献２）には、充電用端子を有する携帯電話機の外装を構成するケースに取着される保護カバーが記載されている。
【０００６】
しかし、かかる提案においては、保護カバーの組立ての硬さ、保護範囲および交換等の操作の簡便性の点で改良すべき点がある。
【特許文献１】特開平１０−１５５５３３号公報
【特許文献２】特開２００８−３２９８７号公報
【考案の概要】
【考案が解決しようとする課題】
【０００７】
従って、本考案の課題は、簡単に、ケース外板を交換できる外枠構造である携帯装置外枠結合構造を提供することにある。
【課題を解決するための手段】
【０００８】
かくして、請求項１の考案によれば、外枠と外板とからなる携帯装置外枠結合構造であって、
上記外枠が携帯装置を保護し、枠体により、携帯装置に組立てられ、
上記外板が、板体、内縁、組立て溝及び係止溝からなり、上記板体において、凹型内縁が形成され、上記内縁に、少なくとも一つの対応して凹型組立て溝が形成され、また、組立て溝の一側に向かって、係止溝が形成され、枠体のホック突出部が、垂直に、上記組立て溝に収納されて、水平に上記係止溝に変位でき、
これにより、固定外枠と外板が結合され、
上記枠体の一側において、外方へ突縁が伸び、上記突縁の内側において、更に、少なくとも一つの対応するホック突出部が形成され、上記ホック突出部で、外板が結合される
ことを特徴とする携帯装置外枠結合構造が提供される。
【０００９】
請求項２の考案によれば、記外枠の枠体の四隅に、それぞれ、凹型孔が形成され、前記各凹型孔内に、それぞれ、ばねと位置付けボールが設置され、上記外板の板体において、凹型孔に対応する位置に、位置付け孔が形成され、上記枠体と板体とが結合されることにより、上記位置付けボールが、位置付け孔に嵌入して位置付け機能が実現されることを特徴とする請求項１に記載の携帯装置外枠結合構造が提供される。
【考案の効果】
【００１０】
本考案は、上記の通りの構成からなり、保護構造の組立てが強固であり、強度に優れると共に、携帯装置を覆うことができ、また、組立て操作も簡便であるという効果を奏する、
【考案を実施するための最良の形態】
【００１１】
以下、図面を参照しながら、本考案の特徴や技術内容について、詳しく説明するが、それらの図面等は、参考や説明のためであり、本考案は、それらによって限定されるものではない。
【００１２】
図１に示すように、本考案は、
携帯装置３を保護するケースに関するものであり、かかるケースは、枠体１１と突縁１２及びホック突出部１３からなり、上記枠体１１が、携帯装置３に組立てられることができ、上記枠体１１の一側において、外へ突縁１２が伸び、上記突縁１２の内側において、少なくとも一つの対応するホック突出部１３が形成され、これにより、外板２が、上記の対応するホック突出部１３の間に結合される外枠１と、
外枠１に組立てられ、図２に示すように、板体２１と内縁２２、組立て溝２３及び係止溝２４からなり、外径が、外枠１の突縁１２より小さい板体２１であり、上記板体２１に、凹むように内縁２２が形成され、上記内縁２２に、凹むように、少なくとも一つの対応する組立て溝２３が形成され、組立て溝２３から、一側へ凹むように係止溝２４が形成され、上記外枠１のホック突出部１３が、垂直に、組立て溝２３に収納されて、水平に、係止溝２４に変位できる外板２と、が含有する。
【００１３】
これにより、図１のように、携帯装置３を、外枠１の枠体１１内に組立てた後、図２と図３に示すようにホック突出部１３を、垂直方向に、外板２の組立て溝２３に嵌入でき、その後、板体２１を水平に変位させてホック突出部１３が、更に、係止溝２４の奥へ入って、結合固定される。
【００１４】
図５は、本考案に係る携帯装置外枠結合構造の他の外枠１の実施例であり、枠体１１の四隅に、それぞれ、凹型孔１４が形成され、上記各凹型孔１４に、それぞれ、ばね１５と位置付けボール１６が設置される。また、外板２の板体２１において、凹型孔１４に対応する箇所に、位置付け孔２５が形成され、これにより、図６に示すように上記枠体１１と板体２１が結合される時、上記位置付けボール１６が、位置付け孔２５に嵌入して、更に、位置付け効果が得られる。
【００１５】
本考案によれば、外枠の枠体の一側において、突縁が伸び、上記突縁のホック突出部に、外板が組立てられ、組立てが硬くて、操作が簡単で、それとともに、より有効に携帯装置を覆うことができるため、より優れた保護効果が得られる。
【００１６】
以上は、本考案のより良い実施例であり、本考案は、それによって限定されるものではなく、本考案に係わる実用新案登録請求の範囲や明細書の内容に基づいて行った等価の変更や修正は、全てが、本考案の範囲内に含まれる。
【図面の簡単な説明】
【００１７】
【図１】本考案の一実施形態による携帯装置外枠結合構造の外枠と外板の組立て斜視図である。
【図２】本考案の一実施形態による携帯装置外枠結合構造の外板の斜視図である。
【図３】本考案の一実施形態による携帯装置外枠結合構造の外枠と外板の組立て後の断面図である。
【図４】本考案の一実施形態による携帯装置外枠構造の外枠と外板との組立て後の斜視図である。
【図５】本考案の一実施形態による携帯装置外枠構造の外枠に位置付けボールが増設された状態の分解斜視図である。
【図６】本考案の一実施形態による携帯装置外枠構造の位置付けボールによる位置付け状態の一部断面図である。
【符号の説明】
【００１８】
１  外枠
１１  枠体
１２  突縁
１３  ホック突出部
１４  凹型孔
１５  ばね
１６  位置付けボール
２  外板
２１  板体
２２  内縁
２３  組立て溝
２４  係止溝
２５  位置付け孔
３  携帯装置
【図１】
0003179771.tif 000003
【図２】
0003179771.tif 000004
【図３】
0003179771.tif 000005
【図４】
0003179771.tif 000006
【図５】
0003179771.tif 000007
【図６】
0003179771.tif 000008